(57)【特許請求の範囲】
【請求項１】
互いに逆方向に回転する上下一対の回転軸（１，２）と、
その一対の回転軸（１，２）の間を通過する段ボールシート（７）に段ボールシート（７）の進行方向と交差する方向の切断線（２０，２１）を形成するように前記一対の回転軸（１，２）の一方に設けられた角切りナイフ（１６，１７）と、
前記一対の回転軸（１，２）に対して下流側に設けられ、互いに逆方向に回転する上側のスロッタ軸（３）と下側のスロッタ軸（４）からなる上下一対のスロッタ軸（３，４）と、
その一対のスロッタ軸（３，４）の間を通過する段ボールシート（７）に段ボールシート（７）の進行方向と平行な切り込み溝（６２，６６）を形成し、その切り込み溝（６２，６６）と前記切断線（２０，２１）とで段ボールシート（７）のコーナー部（６１，６７）が切断除去されるように前記上側のスロッタ軸（３）に設けられた上スロッタナイフ（２３，２４）と、
その上スロッタナイフ（２３，２４）が嵌合するように前記下側のスロッタ軸（４）の周囲に円環状に設けられた第１の嵌合溝（３８）と、
前記段ボールシート（７）のコーナー部（６１，６７）の、前記切り込み溝（６２，６６）に対応する領域であるスロット屑（６３，６８）と、そのスロット屑（６３，６８）の側方の領域であるフラップ屑（６４，６９）とのうち、前記フラップ屑（６４，６９）となる領域から、段ボールシート（７）の進行方向と平行な帯状の案内片（６５，７０）を下側に切り起こすように前記上側のスロッタ軸（３）に設けられた案内片形成ナイフ（２５，２６）と、
その案内片形成ナイフ（２５，２６）が嵌合するように前記下側のスロッタ軸（４）の周囲に円環状に設けられた第２の嵌合溝（４０）と、
を有するスロッタ。
【請求項２】
前記上スロッタナイフ（２３）として、段ボールシート（７）の進行方向の前後一対のコーナー部（６１，６７）のうち前側のコーナー部（６１）を切断除去するものを有し、この上スロッタナイフ（２３）は、前記スロット屑（６３）とフラップ屑（６４）との間を完全に切り離すように形成されている請求項１に記載のスロッタ。
【請求項３】
前記上スロッタナイフ（２４）として、段ボールシート（７）の進行方向の前後一対のコーナー部（６１，６７）のうち後側のコーナー部（６７）を切断除去するものを有し、この上スロッタナイフ（２４）は、前記スロット屑（６８）とフラップ屑（６９）との間を完全には切り離さずに繋がった部分を残すように形成されている請求項１または２に記載のスロッタ。
【発明の詳細な説明】
【技術分野】
【０００１】
この発明は、段ボールシートのコーナー部を切断除去して継ぎ代を形成するスロッタに関する。
【背景技術】
【０００２】
一般に、段ボール箱を製造するにあたっては、まず、コルゲータにおいて、段に直角な２本の罫線（段ボール箱のフラップの付け根の罫線）の入った段ボールシートを製造する。次に、製函工程において、段に平行な罫線（段ボール箱の幅面と長さ面とを区画する罫線）と、切り込み溝（段ボール箱の隣り合うフラップの間を切り離す溝）とを段ボールシートに形成する。このとき、段ボールシートの前後一対のコーナー部を切断除去することで、段ボールシートの側縁中央部に継ぎ代が形成される。その後、継ぎ代に糊付けして、段ボールシートを筒状に折りたたみ、段ボール箱が完成する。
【０００３】
ここで、段ボールシートのコーナー部を切断除去して継ぎ代を形成するスロッタとして、例えば、特許文献１に記載のものが知られている。
【０００４】
特許文献１のスロッタは、互いに逆回転する上下一対のスロッタ軸と、そのスロッタ軸の間を通過する段ボールシートに段ボールシートの進行方向と平行な切り込み溝を形成する上スロッタナイフと、段ボールシートの進行方向と交差する方向の切断線を形成する角切りナイフとを有する。角切りナイフは、上スロッタナイフと交差するように上スロッタナイフの側面に隣接して取り付けられている。そして、段ボールシートが上下一対のスロッタ軸の間を通過したときに、上スロッタナイフで形成される切り込み溝と、角切りナイフで形成される切断線とで段ボールシートの前後のコーナー部を切断除去し、これにより段ボールシートの側縁中央部に継ぎ代を形成するようになっている。
【０００５】
ところで、上スロッタナイフと角切りナイフとで切断除去されたコーナー部は、切り込み溝に対応する領域（すなわちスロッタナイフで切断される領域）であるスロット屑と、このスロット屑の側方の領域であるフラップ屑とで構成される。
【０００６】
このスロット屑とフラップ屑のうち、スロット屑の部分は、比較的容易に段ボールシートから分離させることができる。すなわち、上スロッタナイフは、下側のスロッタ軸の周囲に設けられた円環状の嵌合溝に嵌合し、この嵌合溝と上スロッタナイフの間で段ボールシートを剪断することで切り込み溝を形成する。そして、このとき生じるスロット屑は、上スロッタナイフで下側のスロッタ軸の嵌合溝内に押し込まれ、スロット屑の両側の縁が嵌合溝の内面に接触した状態となる。このスロット屑は、嵌合溝の内面との摩擦によって下側のスロッタ軸と一緒に回転移動し、下側に引っ張られることで、段ボールシートから分離する。
【０００７】
一方、スロット屑とフラップ屑のうち、フラップ屑の部分は、スロット屑のように嵌合溝内に押し込まれるということがないため、段ボールシートから切断された後も、フラップ屑自体の慣性によって段ボールシートと一緒に前方に移動する傾向にあり、段ボールシートから分離しにくいという問題がある。そのため、糊付けした継ぎ代にフラップ屑が付着して、継ぎ代の接着が生じたり、フラップ屑が製品に混入したりする問題があった。
【０００８】
この問題を解消するため、特許文献１では、上スロッタナイフの切れ刃の一部を切り欠くことによって、スロット屑とフラップ屑の間が完全に切り離されずに繋がった部分が残るようにしている。このようにすると、スロット屑とフラップ屑の間が一部繋がるので、スロット屑が嵌合溝の内面との摩擦によって下側に引っ張られたときに、そのスロット屑を介してフラップ屑も下側に引っ張られることとなり、その結果、フラップ屑が段ボールシートから分離しやすくなる。
【先行技術文献】
【特許文献】
【０００９】
【特許文献１】特開２０１１−１６２７４号公報
【発明の概要】
【発明が解決しようとする課題】
【００１０】
しかしながら、特許文献１のように、上スロッタナイフの切れ刃の一部を切り欠いて、スロット屑とフラップ屑の間が一部繋がるようにしても、フラップ屑が段ボールシートから分離しないことがある。特に、フラップ屑の寸法が大きいときには、フラップ屑の慣性も大きくなるため、スロット屑と嵌合溝の内面との摩擦だけではフラップ屑を十分に下側に引き込むことができず、フラップ屑が段ボールシートから分離しないことがあった。
【００１１】
この発明が解決しようとする課題は、フラップ屑を段ボールシートから確実に分離させることが可能なスロッタを提供することである。
【課題を解決するための手段】
【００１２】
上記課題を解決するため、この発明では、以下の構成をスロッタに採用した。
互いに逆方向に回転する上下一対の回転軸と、
その一対の回転軸の間を通過する段ボールシートに段ボールシートの進行方向と交差する方向の切断線を形成するように前記一対の回転軸の一方に設けられた角切りナイフと、
前記一対の回転軸に対して下流側に設けられ、互いに逆方向に回転する上下一対のスロッタ軸と、
その一対のスロッタ軸の間を通過する段ボールシートに段ボールシートの進行方向と平行な切り込み溝を形成し、その切り込み溝と前記切断線とで段ボールシートのコーナー部が切断除去されるように前記上側のスロッタ軸に設けられた上スロッタナイフと、
その上スロッタナイフが嵌合するように前記下側のスロッタ軸の周囲に円環状に設けられた第１の嵌合溝と、
前記段ボールシートのコーナー部の、前記切り込み溝に対応する領域であるスロット屑と、そのスロット屑の側方の領域であるフラップ屑とのうち、前記フラップ屑となる領域から、段ボールシートの進行方向と平行な帯状の案内片を下側に切り起こすように前記上側のスロッタ軸に設けられた案内片形成ナイフと、
その案内片形成ナイフが嵌合するように前記下側のスロッタ軸の周囲に円環状に設けられた第２の嵌合溝と、
を有するスロッタ。
【００１３】
このようにすると、段ボールシートのコーナー部を切断除去するときに、スロット屑が第１の嵌合溝の内面との摩擦によって下側のスロッタ軸と一緒に回転移動し、下側に引っ張られるとともに、フラップ屑から切り起こされた帯状の案内片も、第２の嵌合溝の内面との摩擦によって下側のスロッタ軸と一緒に回転移動し、下側に引っ張られる。そのため、スロット屑とフラップ屑の両者を単一の嵌合溝だけで下側に引っ張るようにした場合と比較して、確実にフラップ屑を段ボールシートから分離させることが可能である。
【００１４】
前記上スロッタナイフとして、段ボールシートの進行方向の前後一対のコーナー部のうち前側のコーナー部を切断除去するものを有するとき、この上スロッタナイフは、前記スロット屑とフラップ屑との間を完全に切り離すように形成すると好ましい。
【００１５】
このようにすると、フラップ屑とスロット屑との間が上スロッタナイフで完全に切り離されるので、フラップ屑とスロット屑とを別々のタイミングで段ボールシートから分離することが可能となり、案内片の後端位置とスロット屑の後端位置とが前後にずれているときでも、フラップ屑およびスロット屑の両者を確実に段ボールシートから分離させることが可能となる。
【００１６】
前記上スロッタナイフとして、段ボールシートの進行方向の前後一対のコーナー部のうち後側のコーナー部を切断除去するものを有するとき、この上スロッタナイフは、前記スロット屑とフラップ屑との間を完全には切り離さずに繋がった部分を残すように形成すると好ましい。
【００１７】
このようにすると、フラップ屑とスロット屑との間が一部繋がっているので、フラップ屑を、案内片とスロット屑の両方で下側に引っ張ることが可能となり、フラップ屑の寸法が大きいときでも、フラップ屑およびスロット屑の両者を確実に段ボールシートから分離させることが可能となる。また、段ボールシートの進行方向の後側のコーナー部においては、案内片の後端位置とスロット屑の後端位置とが前後に一致する（いずれも段ボールシートの後端位置となる）ので、スロット屑とフラップ屑との間が一部繋がっていても、スロット屑およびフラップ屑の両者を確実に段ボールシートから分離させることが可能である。
【発明の効果】
【００１８】
この発明のスロッタを用いると、段ボールシートのコーナー部を切断除去するときに、スロット屑が第１の嵌合溝の内面との摩擦によって下側のスロッタ軸と一緒に回転移動し、下側に引っ張られるとともに、フラップ屑から切り起こされた帯状の案内片も、第２の嵌合溝の内面との摩擦によって下側のスロッタ軸と一緒に回転移動し、下側に引っ張られる。そのため、スロット屑とフラップ屑の両者を単一の嵌合溝だけで下側に引っ張るようにした場合と比較して、確実にフラップ屑を段ボールシートから分離させることが可能である。
【図面の簡単な説明】
【００１９】
【図１】この発明の実施形態のスロッタを段ボールシートの進行方向と直交する方向から見た断面図
【図２】図１に示すスロッタを段ボールシートの通過位置に沿って上側から見た断面図
【図３】図１のIII−III線に沿った断面図
【図４】図１に示す回転方向の前側の上スロッタナイフの近傍の拡大図
【図５】図４に示す上スロッタナイフおよび案内片形成ナイフを外径側から見た図
【図６】図１に示す回転方向の後側の上スロッタナイフの近傍の拡大図
【図７】図６に示す上スロッタナイフおよび案内片形成ナイフを外径側から見た図
【図８】図３に示す上スロッタナイフおよび案内片形成ナイフが、第１の嵌合溝および第２の嵌合溝に嵌合した状態を示す断面図
【図９】段ボールシートの進行方向の前側のコーナー部を切断除去したときに、スロット屑およびフラップ屑が第１の嵌合溝および第２の嵌合溝にそれぞれ押し込まれた状態を示す図
【図１０】段ボールシートの進行方向の後側のコーナー部を切断除去したときに、スロット屑およびフラップ屑が第１の嵌合溝および第２の嵌合溝にそれぞれ押し込まれた状態を示す図
【図１１】図１に示すスロッタで耳ありタイプの継ぎ代を段ボールシートに形成する過程を示す図であり、（ａ）は段ボールシートの進行方向の前側部分と後側部分に段ボールシートの進行方向に交差する方向の切断線が形成された状態を示す図、（ｂ）は（ａ）に示す段ボールシートの進行方向の前側部分に段ボールシートの進行方向に平行な切り込み溝が形成された状態を示す図、（ｃ）は（ｂ）に示す段ボールシートの進行方向の後側部分に段ボールシートの進行方向に平行な切り込み溝が形成された状態を示す図、（ｄ）は段ボールシートの進行方向の前側と後側のコーナー部がそれぞれ切断除去された結果、段ボールシートの側縁中央部に耳ありタイプの継ぎ代が形成された状態を示す図
【図１２】耳ありタイプの継ぎ代を有する段ボールシートを示す図
【図１３】図１に示すスロッタで耳なしタイプの継ぎ代を段ボールシートに形成する過程を示す図であり、（ａ）は段ボールシートの進行方向の前側部分と後側部分に段ボールシートの進行方向に交差する方向の切断線が形成された状態を示す図、（ｂ）は（ａ）に示す段ボールシートの進行方向の前側部分に段ボールシートの進行方向に平行な切り込み溝が形成された状態を示す図、（ｃ）は（ｂ）に示す段ボールシートの進行方向の後側部分に段ボールシートの進行方向に平行な切り込み溝が形成された状態を示す図、（ｄ）は段ボールシートの進行方向の前側と後側のコーナー部がそれぞれ切断除去された結果、段ボールシートの側縁中央部に耳なしタイプの継ぎ代が形成された状態を示す図
【図１４】耳なしタイプの継ぎ代を有する段ボールシートを示す図
【発明を実施するための形態】
【００２０】
図１に、この発明の実施形態のスロッタを示す。このスロッタは、上下一対の回転軸１，２と、回転軸１，２の下流側に設けられた上下一対のスロッタ軸３，４と、回転軸１，２とスロッタ軸３，４の間に設けられた上下一対の送りローラ５，６とを有する。
【００２１】
上下一対の回転軸１，２は、上流側から供給される段ボールシート７をスロッタ軸３，４の側に送り出すように互いに逆方向に回転する。また、上下一対のスロッタ軸３，４は、回転軸１，２の側から送り込まれた段ボールシート７を下流側に送り出すように互いに逆方向に回転する。ここで、段ボールシート７は、段に直角な２本の罫線（図１２および図１４に示すフラップ８の付け根の罫線９）と段に平行な罫線（図１２および図１４に示す幅面１０と長さ面１１とを区画する罫線１２）があらかじめ形成された矩形の段ボールシート７であり、段ボールシート７の進行方向が、段と平行な方向となる向きで一対の回転軸１，２の間に１枚ずつ供給される。
【００２２】
上側の回転軸１には、円板状の刃物台ホルダ１３と、この刃物台ホルダ１３に取り付けられた一対の刃物台１４，１５と、この一対の刃物台１４，１５にそれぞれ固定された一対の角切りナイフ１６，１７とが設けられている。刃物台ホルダ１３は、回転軸１と一体に回転するように回転軸１に固定されている。一対の刃物台１４，１５は、円周方向に間隔をおいて刃物台ホルダ１３に固定されており、それぞれ刃物台ホルダ１３への固定位置を円周方向に調整することが可能となっている。下側の回転軸２には、円筒状の刃受け面１８を外周に有するアンビルローラ１９が設けられている。
【００２３】
角切りナイフ１６は、アンビルローラ１９の外周の円筒状の刃受け面１８に接触する切れ刃を先端に有する。角切りナイフ１６の先端の切れ刃は、回転軸１の回転方向に対して交差する方向（例えば軸方向または軸方向に対して傾斜する方向）に延びるように形成され、この切れ刃と刃受け面１８の間で段ボールシート７を挟み込むことで、一対の回転軸１，２の間を通過する段ボールシート７に段ボールシート７の進行方向と交差する方向の切断線２０（図２参照）を形成するようになっている。回転軸１の回転方向の後側に配置された角切りナイフ１７も、前側の角切りナイフ１６と同様に構成されている。
【００２４】
上側のスロッタ軸３には、円板状の上刃ホルダ２２と、この上刃ホルダ２２に取り付けられた一対の上スロッタナイフ２３，２４および一対の案内片形成ナイフ２５，２６とが設けられている。上刃ホルダ２２は、スロッタ軸３と一体に回転するようにスロッタ軸３に固定されている。一対の上スロッタナイフ２３，２４は、それぞれ円弧状の外周をもつ扇形の部材であり、円周方向に間隔をおいて上刃ホルダ２２に固定されている。一対の案内片形成ナイフ２５，２６も、上スロッタナイフ２３，２４と同様、円弧状の外周をもつ扇形の部材であり、円周方向に間隔をおいて上刃ホルダ２２に固定されている。スロッタ軸３の回転方向の前側の案内片形成ナイフ２５は、スロッタ軸３の回転方向の前側の上スロッタナイフ２３と軸方向に対向して配置されている。スロッタ軸３の回転方向の後側の案内片形成ナイフ２６も、スロッタ軸３の回転方向の後側の上スロッタナイフ２４と軸方向に対向して配置されている。
【００２５】
図３に示すように、上側のスロッタ軸３は、転がり軸受２７を介して上フレーム２８で支持されている。上スロッタナイフ２３と案内片形成ナイフ２５の間には、両者の間隔を一定に保つ上スペーサ２９が組み込まれている。スロッタ軸３の回転方向の後側の上スロッタナイフ２４と案内片形成ナイフ２６の間にも、両者の間隔を一定に保つ上スペーサ３０（図７参照）が組み込まれている。
【００２６】
下側のスロッタ軸４は、転がり軸受３１を介して下フレーム３２で支持されている。下側のスロッタ軸４には円板状の下刃ホルダ３３が固定され、この下刃ホルダ３３に第１の丸ナイフ３４、第２の丸ナイフ３５、第３の丸ナイフ３６が取り付けられている。第１の丸ナイフ３４と第２の丸ナイフ３５の間には、両者の間隔を一定に保つ第１の下スペーサ３７が組み込まれ、この第１の丸ナイフ３４と第２の丸ナイフ３５の対向面間に上スロッタナイフ２３，２４が嵌合する第１の嵌合溝３８が形成されている。また、第２の丸ナイフ３５と第３の丸ナイフ３６の間には、両者の間隔を一定に保つ第２の下スペーサ３９が組み込まれ、この第２の丸ナイフ３５と第３の丸ナイフ３６の対向面間に案内片形成ナイフ２５，２６が嵌合する第２の嵌合溝４０が形成されている。このようにして、下側のスロッタ軸４の周囲には、上スロッタナイフ２３，２４が嵌合する第１の嵌合溝３８と、案内片形成ナイフ２５，２６が嵌合する第２の嵌合溝４０とが設けられている。
【００２７】
第１の嵌合溝３８の両縁（すなわち第１の丸ナイフ３４の外周の第２の丸ナイフ３５の側の縁と、第２の丸ナイフ３５の外周の第１の丸ナイフ３４の側の縁）は、全周にわたって途切れずに連続する切れ刃を構成している。第２の嵌合溝４０の両縁（すなわち第２の丸ナイフ３５の外周の第３の丸ナイフ３６の側の縁と、第３の丸ナイフ３６の外周の第２の丸ナイフ３５の側の縁）も、全周にわたって途切れずに連続する切れ刃を構成している。
【００２８】
図４および図５に示すように、スロッタ軸３の回転方向の前側の上スロッタナイフ２３は、円弧状に延びる一対の平行な溝切り刃４１と、この一対の溝切り刃４１の後端に設けられた突切り刃４２とを外周に有する。突切り刃４２は、一対の平行な溝切り刃４１で段ボールシート７から切り起こされる帯状の部分（図１１（ｂ）のスロット屑６３の部分）を切り離すように、その先端が溝切り刃４１よりも外径側に突出して設けられている。一対の溝切り刃４１は、いずれも上スロッタナイフ２３の周方向の前端から後端にわたってとぎれないように連続して形成されている。
【００２９】
スロッタ軸３の回転方向の前側の案内片形成ナイフ２５も、円弧状に延びる一対の平行な平行刃４３を有する。平行刃４３は、その回転方向の後端４３ａの位置が突切り刃４２の位置よりも前側にずれた配置となるように形成されている。一対の平行刃４３の回転方向の後端４３ａには、一対の平行刃４３で段ボールシート７から切り起こされる帯状の部分（図１１（ｂ）の案内片６５の部分）の根元が切り離されずに繋がった状態となるように突切り刃が設けられていない。
【００３０】
上スロッタナイフ２３の側面に形成された貫通孔４４と、案内片形成ナイフ２５の側面に形成された貫通孔４５とに共通のボルト４６が挿入され、このボルト４６の締め込みによって上スロッタナイフ２３と案内片形成ナイフ２５の両者が上刃ホルダ２２に固定されている。貫通孔４４，４５は、それぞれ円周方向に沿って円弧状に延びる長孔であり、この長孔とボルト４６の間に形成された遊びの範囲で、上スロッタナイフ２３および案内片形成ナイフ２５の上刃ホルダ２２への固定位置を円周方向に調整することが可能となっている。
【００３１】
図６および図７に示すように、スロッタ軸３の回転方向の後側の上スロッタナイフ２４は、円弧状に延びる一対の平行な溝切り刃４７と、この一対の溝切り刃４７の前端に設けられた突切り刃４８とを外周に有する。突切り刃４８は、一対の平行な溝切り刃４７で段ボールシート７から切り起こされる帯状の部分（図１１（ｃ）のスロット屑６８の部分）の前端を形成するように、その先端が溝切り刃４７よりも外径側に突出して設けられている。
【００３２】
ここで、一対の平行な溝切り刃４７のうち、段ボールシート７の中央に近い側（すなわち案内片形成ナイフ２６から遠い側）の溝切り刃４７は、上スロッタナイフ２４の周方向の前端から後端にわたってとぎれないように連続して形成されているが、段ボールシート７の中央から遠い側（すななち案内片形成ナイフ２６に近い側）の溝切り刃４７は、上スロッタナイフ２４の周方向の途中に切れ刃が形成されていない不連続部４９を有する。
【００３３】
スロッタ軸３の回転方向の後側の案内片形成ナイフ２６は、円弧状に延びる一対の平行な平行刃５０を有する。平行刃５０は、その回転方向の前端５０ａの位置が突切り刃４８の位置よりも後側にずれた配置となるように形成されている。一対の平行刃５０の回転方向の前端５０ａには、一対の平行刃５０で段ボールシート７から切り起こされる帯状の部分（図１１（ｃ）の案内片７０の部分）の根元が切り離されずに繋がった状態となるように突切り刃が設けられていない。
【００３４】
上スロッタナイフ２４の側面に形成された貫通孔５１と、案内片形成ナイフ２６の側面に形成された貫通孔５２とに共通のボルト５３が挿入され、このボルト５３の締め込みによって上スロッタナイフ２４と案内片形成ナイフ２６の両者が上刃ホルダ２２に固定されている。貫通孔５１，５２は、それぞれ円周方向に沿って円弧状に延びる長孔であり、この長孔とボルト５３の間に形成された遊びの範囲で、上スロッタナイフ２４および案内片形成ナイフ２６の上刃ホルダ２２への固定位置を円周方向に調整することが可能となっている。
【００３５】
図８に示すように、第１の嵌合溝３８の内部には、段ボールシート７の切断により生じるスロット屑６３を第１の嵌合溝３８から排出するスロット屑排出ガイド５４が設けられている。また、第２の嵌合溝４０の内部にも、段ボールシート７の切断により生じた帯状の案内片６５を第２の嵌合溝４０から排出する案内片排出ガイド５５が設けられている。
【００３６】
図１に示すように、案内片排出ガイド５５は、上側のスロッタ軸３と下側のスロッタ軸４の対向位置よりも回転方向の後方から第２の嵌合溝４０に入り込み、第２の嵌合溝４０の溝底に沿って円弧状に延びた後、上側のスロッタ軸３と下側のスロッタ軸４の対向位置よりも回転方向の前方で第２の嵌合溝４０から抜け出る形状とされている。スロット屑排出ガイド５４も、案内片排出ガイド５５と同様の形状を有する。
【００３７】
上述のスロッタで段ボールシート７の側縁中央部に継ぎ代６０（図１２参照）を形成する動作を説明する。
【００３８】
図１に示すように、スロッタの上流側から供給された矩形の段ボールシート７が、上下一対の回転軸１，２の間を通過するとき、図１１（ａ）に示すように、回転軸１の回転方向の前側の角切りナイフ１６が、段ボールシート７の進行方向の前側部分に、進行方向と交差する方向の切断線２０を形成し、続いて、回転軸１の回転方向の後側の角切りナイフ１７が、段ボールシート７の進行方向の後側部分に、進行方向と交差する方向の切断線２１を形成する。ここで切断線２０，２１は、いずれもその一端が段ボールシート７の側縁に開放するように形成される。
【００３９】
その後、段ボールシート７は、図１に示す上下一対のスロッタ軸３，４の間を通過し、このとき図８に示すように、上スロッタナイフ２３が第１の嵌合溝３８に嵌合し、この上スロッタナイフ２３と第１の嵌合溝３８の間で段ボールシート７の進行方向の前側部分が剪断され、図１１（ｂ）に示すように、段ボールシート７の進行方向と平行な切り込み溝６２が形成される。このとき、段ボールシート７の進行方向の前縁から延びる切り込み溝６２と、段ボールシート７の側縁から延びる切断線２０とが繋がることで、段ボールシート７の進行方向の前側のコーナー部６１が切断除去される。切断除去されたコーナー部６１は、切り込み溝６２に対応する領域（すなわち上スロッタナイフ２３で切断される領域）であるスロット屑６３と、このスロット屑６３の側方の領域（すなわちスロット屑６３と段ボールシート７の側縁の間で挟まれる領域）であるフラップ屑６４とで構成され、スロット屑６３とフラップ屑６４との間が完全に切り離された状態となっている。
【００４０】
また、図８に示すように、上スロッタナイフ２３が第１の嵌合溝３８に嵌合するとき、上スロッタナイフ２３と軸方向に並んで配置された案内片形成ナイフ２５が第２の嵌合溝４０に嵌合し、この案内片形成ナイフ２５と第２の嵌合溝４０の間で段ボールシート７が剪断され、図１１（ｂ）に示すように、段ボールシート７のコーナー部６１のフラップ屑６４となる領域から、段ボールシート７の進行方向と平行な帯状の案内片６５が下側に切り起こされる。ここで、案内片６５の後端は、フラップ屑６４から切り離されずに繋がった状態となっている。
【００４１】
ここで、図８に示すように、上スロッタナイフ２３および案内片形成ナイフ２５でスロット屑６３および案内片６５を形成したとき、上スロッタナイフ２３でスロット屑６３が第１の嵌合溝３８内に押し込まれるとともに、案内片形成ナイフ２５で案内片６５が第２の嵌合溝４０内に押し込まれる。このとき、図９に示すように、スロット屑６３の両側の縁が第１の嵌合溝３８の内面に接触するとともに、案内片６５の両側の縁が第２の嵌合溝４０の内面に接触した状態となる。そして、スロット屑６３は、第１の嵌合溝３８の内面との摩擦によって下側のスロッタ軸４と一緒に回転移動し、下側に引っ張られて、段ボールシート７から分離する。また、フラップ屑６４から切り起こされた帯状の案内片６５も、第２の嵌合溝４０の内面との摩擦によって下側のスロッタ軸４と一緒に回転移動し、下側に引っ張られ、これによりフラップ屑６４が段ボールシート７から分離する。
【００４２】
段ボールシート７から分離したスロット屑６３は、スロット屑排出ガイド５４に接触して第１の嵌合溝３８から排出されて落下する。フラップ屑６４から切り起こされた案内片６５も、案内片排出ガイド５５に接触して第２の嵌合溝４０から排出され、これによりフラップ屑６４が落下する。
【００４３】
その後、図１に示すスロッタ軸３の回転方向の後側の上スロッタナイフ２４が第１の嵌合溝３８に嵌合し、この上スロッタナイフ２４と第１の嵌合溝３８の間で段ボールシート７の進行方向の後側部分が剪断され、図１１（ｃ）に示すように、段ボールシート７の進行方向と平行な切り込み溝６６が形成される。このとき、段ボールシート７の進行方向の後縁から延びる切り込み溝６６と、段ボールシート７の側縁から延びる切断線２１とが繋がることによって、段ボールシート７の進行方向の後側のコーナー部６７が切断除去される。切断除去されたコーナー部６７は、切り込み溝６６に対応する領域であるスロット屑６８と、このスロット屑６８の側方の領域であるフラップ屑６９とで構成され、スロット屑６８とフラップ屑６９との間が完全には切り離されずに一部繋がった状態となっている。
【００４４】
また、図８に示すように、上スロッタナイフ２４が第１の嵌合溝３８に嵌合するとき、上スロッタナイフ２４（図６、図７参照）と軸方向に並んで配置された案内片形成ナイフ２６が第２の嵌合溝４０に嵌合し、この案内片形成ナイフ２６と第２の嵌合溝４０の間で段ボールシート７が剪断され、図１１（ｃ）に示すように、段ボールシート７のコーナー部６７のフラップ屑６９となる領域から、段ボールシート７の進行方向と平行な帯状の案内片７０が下側に切り起こされる。ここで、案内片７０の前端は、フラップ屑６９から切り離されずに繋がった状態となっている。
【００４５】
ここで、上スロッタナイフ２４および案内片形成ナイフ２６でスロット屑６８および案内片７０を形成したとき、上スロッタナイフ２４でスロット屑６８が第１の嵌合溝３８内に押し込まれるとともに、案内片形成ナイフ２６で案内片７０が第２の嵌合溝４０内に押し込まれる。このとき、図１０に示すように、スロット屑６８の両側の縁が第１の嵌合溝３８の内面に接触するとともに、案内片７０の両側の縁が第２の嵌合溝４０の内面に接触した状態となる。そして、スロット屑６８は、第１の嵌合溝３８の内面との摩擦によって下側のスロッタ軸４と一緒に回転移動し、下側に引っ張られるとともに、フラップ屑６９から切り起こされた帯状の案内片７０も、第２の嵌合溝４０の内面との摩擦によって下側のスロッタ軸４と一緒に回転移動し、下側に引っ張られる。このフラップ屑６９に作用する引張り力と案内片７０に作用する引張り力とによって、スロット屑６８とフラップ屑６９は段ボールシート７から分離する。
【００４６】
このように、段ボールシート７の前後一対のコーナー部６１，６７を切断除去することで、図１１（ｄ）、図１２に示すように、段ボールシート７の側縁中央部に継ぎ代６０が形成される。
【００４７】
上述のスロッタを用いると、段ボールシート７の進行方向の前側のコーナー部６１を切断除去するときに、スロット屑６３が第１の嵌合溝３８の内面との摩擦によって下側のスロッタ軸４と一緒に回転移動し、下側に引っ張られるとともに、フラップ屑６４から切り起こされた帯状の案内片６５も、第２の嵌合溝４０の内面との摩擦によって下側のスロッタ軸４と一緒に回転移動し、下側に引っ張られる。そのため、スロット屑６３とフラップ屑６４の両者を単一の嵌合溝だけで下側に引っ張るようにした場合と比較して、確実にフラップ屑６４を段ボールシート７から分離させることが可能である。
【００４８】
同様に、段ボールシート７の進行方向の後側のコーナー部６７を切断除去するときも、スロット屑６８が第１の嵌合溝３８の内面との摩擦によって下側のスロッタ軸４と一緒に回転移動し、下側に引っ張られるとともに、フラップ屑６９から切り起こされた帯状の案内片７０も、第２の嵌合溝４０の内面との摩擦によって下側のスロッタ軸４と一緒に回転移動し、下側に引っ張られる。そのため、スロット屑６８とフラップ屑６９の両者を単一の嵌合溝だけで下側に引っ張るようにした場合と比較して、確実にフラップ屑６９を段ボールシート７から分離させることが可能である。
【００４９】
また、上述のスロッタは、段ボールシート７の進行方向の前側のコーナー部６１を切断除去する上スロッタナイフ２３として、スロット屑６３とフラップ屑６４との間を完全に切り離すように形成したものを用いている。これにより、フラップ屑６４とスロット屑６３とを別々のタイミングで段ボールシート７から分離することが可能となり、図１１（ｂ）のように、案内片６５の後端位置とスロット屑６３の後端位置とが前後にずれているとき（すなわち、図１１（ｄ）のように継ぎ代６０の両端にフラップ６０ｆがあるタイプの段ボール箱を製造するとき）でも、フラップ屑６４およびスロット屑６３の両者を確実に段ボールシート７から分離させることが可能となっている。
【００５０】
また、上述のスロッタは、段ボールシート７の進行方向の後側のコーナー部６７を切断除去する上スロッタナイフ２４として、スロット屑６８とフラップ屑６９との間を完全には切り離さずに繋がった部分を残すように形成したものを用いている。これにより、フラップ屑６９とスロット屑６８との間が一部繋がるので、図１１（ｃ）のように、フラップ屑６９を、案内片７０とスロット屑６８の両方で下側に引っ張ることが可能となり、フラップ屑６９の寸法が大きいときでも、フラップ屑６９およびスロット屑６８の両者を確実に段ボールシート７から分離させることが可能となる。ここで段ボールシート７の進行方向の後側のコーナー部６７においては、案内片７０の後端位置とスロット屑６８の後端位置とが前後に一致する（いずれも段ボールシート７の後端位置となる）ので、スロット屑６８とフラップ屑６９との間が一部繋がっていても、スロット屑６８およびフラップ屑６９の両者を確実に段ボールシート７から分離させることが可能である。
【００５１】
上記実施形態では、図１１（ｄ）に示すように、継ぎ代６０の両端にフラップ６０ｆがあるタイプ（いわゆる耳ありタイプ）の段ボール箱を製造する場合を例に挙げて説明したが、この発明は、図１３（ａ）〜図１３（ｄ）および図１４に示すように、継ぎ代６０の両端にフラップ６０ｆがないタイプ（いわゆる耳なしタイプ）の段ボール箱を製造する場合にも適用することができる。この場合、図１に示す回転軸１の回転方向の前側の角切りナイフ１６と後側の角切りナイフ１７との間隔を狭めるとともに、スロッタ軸３の回転方向の前側の案内片形成ナイフ２５と後側の案内片形成ナイフ２６との間隔を狭めることで、耳なしタイプの段ボール箱を製造することが可能である。
【符号の説明】
【００５２】
１，２      回転軸
３，４      スロッタ軸
７          段ボールシート
１６，１７  角切りナイフ
２０，２１  切断線
２３，２４  上スロッタナイフ
２５，２６  案内片形成ナイフ
３８        第１の嵌合溝
４０        第２の嵌合溝
６１        コーナー部
６２        切り込み溝
６３        スロット屑
６４        フラップ屑
６５        案内片
６６        切り込み溝
６７        コーナー部
６８        スロット屑
６９        フラップ屑
７０        案内片
【図１】
0006352080.tif 000002
【図２】
0006352080.tif 000003
【図３】
0006352080.tif 000004
【図４】
0006352080.tif 000005
【図５】
0006352080.tif 000006
【図６】
0006352080.tif 000007
【図７】
0006352080.tif 000008
【図８】
0006352080.tif 000009
【図９】
0006352080.tif 000010
【図１０】
0006352080.tif 000011
【図１１】
0006352080.tif 000012
【図１２】
0006352080.tif 000013
【図１３】
0006352080.tif 000014
【図１４】
0006352080.tif 000015